(57)【要約】      （修正有）【課題】建築物の保存が必要な面を事前に養生することなく、高圧水による除去が必要な面の除去を行うことができる高圧水噴射ガン用養生板及びその養生板を備える高圧水噴射ガンを提供する。【解決手段】高圧水噴射ガン用養生板１４は、建築物の保存が必要な面とアスベスト除去が必要な面から形成される入隅部のアスベストを高圧水噴射ガン１２を用いて除去する場合に使用するものであって、高圧水噴射ガン１２のノズルカバー１２ａの側面に回動自在に取り付け、先端を入隅部の角に当接させて、入隅部を形成する建築物の保存が必要な面を養生する養生板である。これにより、ウォータージェット工法において、養生板１４により、入隅部を形成する建築物の保存が必要な面を事前に養生することなく、高圧水や除去物の飛散から保護し破損を防ぐことができる。【選択図】図１
0003219425.tif 000002
【実用新案登録請求の範囲】
【請求項１】
建築物の保存が必要な面と高圧水による除去が必要な面から形成される入隅部を高圧水噴射ガンを用いて除去する場合に使用するものであって、高圧水噴射ガンのノズルカバーの側面に回動自在に取り付け、先端を入隅部の角に当接させて、入隅部を形成する建築物の保存が必要な面を養生する養生板であることを特徴とする高圧水噴射ガン用養生板。
【請求項２】
養生板は、ノズルの位置に応じた、高圧水が除去面まで至る距離に相当する長さと除去面における高圧水の噴射幅に相当する幅とを有するものであることを特徴とする請求項１記載の高圧水噴射ガン用養生板。
【請求項３】
請求項１又は請求項２記載の高圧水噴射ガン用養生板を備えることを特徴とする高圧水噴射ガン。
【請求項４】
建築物の保存が必要な面と高圧水による除去が必要な面から形成される入隅部を高圧水噴射ガンを用いて除去する場合に使用するものであって、高圧水噴射ガンのノズルカバーの側面に回動自在に取り付け、先端を入隅部の角に当接させて、入隅部を形成する建築物の保存が必要な面を養生する養生板と、高圧水噴射ガンのノズルカバーと嵌合させる筒状の養生板取付補助部材とを備え、養生板取付補助部材の側面に養生板を回動自在に取り付けることを特徴とする高圧水噴射ガン用養生板。
【請求項５】
養生板は、ノズルの位置に応じた、高圧水が除去面まで至る距離に相当する長さと除去面における高圧水の噴射幅に相当する幅とを有するものであることを特徴とする請求項４記載の高圧水噴射ガン用養生板。
【請求項６】
請求項４又は請求項５記載の高圧水噴射ガン用養生板を備えることを特徴とする高圧水噴射ガン。
【考案の詳細な説明】
【技術分野】
【０００１】
本考案は、建築物の保存が必要な面と高圧水による除去が必要な面から形成される入隅部を高圧水噴射ガンを用いて除去する場合に使用する高圧水噴射ガン用養生板及びその養生板を備える高圧水噴射ガンに関する。
【背景技術】
【０００２】
建築物の改修工事において外壁表面に施されているアスベスト含有仕上塗材を除去する工法として、アスベスト含有仕上塗材を高圧水で除去するウォータージェット工法が知られている。ウォータージェット工法では、一般には、ノズルから高圧水を噴射する高圧水噴射ガンが使用される。
【０００３】
建築物において、窓枠がアスベスト含有仕上塗材を施した外壁に嵌め込まれている場合がある。この場合、窓枠が嵌め込まれる外壁の側面と窓枠の面（アスベスト含有仕上塗材が施されていない面）とにより入隅部が形成される。改修工事において、上記入隅部を形成する外壁に施されているアスベスト含有仕上塗材を高圧水噴射ガンの高圧水で除去する場合は、除去作業前に、入隅を形成する窓枠及び建具からなる面すなわち建築物の保存が必要な面を養生する必要がある。
しかし、窓枠や建具などの建築物の保存が必要な面を高圧水噴射ガンの噴射ノズルから噴射される高圧水の水圧に耐えられるように養生することは、困難であった。
【０００４】
現在、出隅部分の外壁を研削する高圧水噴射装置が提供されている。（例えば、特許文献１）
【先行技術文献】
【特許文献】
【０００５】
【特許文献１】特開２０１４−９１２０４号公報
【考案の概要】
【考案が解決しようとする課題】
【０００６】
特許文献１の高圧水噴射装置は、研削対象面に対して高圧水を噴射する噴射ノズルと、研削対象面側が開口している噴射ノズルを囲うスカート部と、スカート部の研削対象面側に配設されてスカート部の開口部分の一部を遮蔽する遮蔽プレートと、遮蔽プレートの表面に立設されたガイドプレートとを備えるものである。これにより、飛散を抑制しながら出隅部を研削できる。
【０００７】
入隅部を有する研削対象物に対しては、特許文献１の高圧水噴射装置は、入隅部の形状に応じたスカート部を有したものを使用する。
しかし、入隅部の形状に応じたスカート部を有した高圧水噴射装置を用いて入隅部を研削すると、入隅部を形成する２つの研削対象面を研削することになる。そのため、改修工事において、例えば、窓枠及び建具からなる面（建築物の保存が必要な面）と外壁（アスベスト除去が必要な面）により形成される入隅部を研削する場合は、高圧水噴射ガンと同様、窓枠側の面を養生する必要があった。
【０００８】
本考案は、上記課題を解決するものであって、建築物の保存が必要な面と高圧水による除去が必要な面から形成される入隅部を高圧水噴射ガンを用いて除去する場合、建築物の保存が必要な面を事前に養生することなく、高圧水による除去が必要な面の除去を行うことができる高圧水噴射ガン用養生板及びその養生板を備える高圧水噴射ガンを提供することを目的とする。
【課題を解決するための手段】
【０００９】
本考案の高圧水噴射ガン用養生板は、建築物の保存が必要な面と高圧水による除去が必要な面から形成される入隅部を高圧水噴射ガンを用いて除去する場合に使用するものであって、高圧水噴射ガンのノズルカバーの側面に回動自在に取り付け、先端を入隅部の角に当接させて、入隅部を形成する建築物の保存が必要な面を養生する養生板である。また、養生板は、養生板は、ノズルの位置に応じた、高圧水が除去面まで至る距離に相当する長さと除去面における高圧水の噴射幅に相当する幅とを有するものである。また、本考案の高圧水噴射ガンは、上記高圧水噴射ガン用養生板を備えるようにしたものである。
【００１０】
また、本考案の高圧水噴射ガン用養生板は、建築物の保存が必要な面と高圧水による除去が必要な面から形成される入隅部を高圧水噴射ガンを用いて除去する場合に使用するものであって、高圧水噴射ガンのノズルカバーの側面に回動自在に取り付け、先端を入隅部の角に当接させて、入隅部を形成する建築物の保存が必要な面を養生する養生板と、高圧水噴射ガンのノズルカバーと嵌合させる筒状の養生板取付補助部材とを備え、養生板取付補助部材の側面に養生板を回動自在に取り付けるようにしたものである。また、養生板は、養生板は、ノズルの位置に応じた、高圧水が除去面まで至る距離に相当する長さと除去面における高圧水の噴射幅に相当する幅とを有するものである。また、本考案の高圧水噴射ガンは、上記高圧水噴射ガン用養生板を備えるようにしたものである。
【考案の効果】
【００１１】
本考案の高圧水噴射ガン用養生板及びその養生板を備える高圧水噴射ガンにより、改修工事の際、建築物の保存が必要な面と高圧水による除去が必要な面から形成される入隅部を高圧水噴射ガンを用いて除去する場合、除去作業前に建築物の保存が必要な面を養生しなくても、高圧水による除去が必要な面の除去による飛散物からの損傷を防止することができ、建築物の保存が必要な面を保護することができる。また、除去作業前の養生を省くことができることから、除去の作業効率を向上させることができる。
【図面の簡単な説明】
【００１２】
【図１】本考案の高圧水噴射ガン用養生板及びその養生板を備える高圧水噴射ガンを示す図である。
【図２】本考案の高圧水噴射ガン用養生板の構造を表わす図である。
【図３】本考案の高圧水噴射ガン用養生板及びその養生板を備える高圧水噴射ガンを用いた入隅部のアスベスト除去作業を表わす図である。
【図４】図３のＡ−Ａ断面図である。
【図５】本考案の高圧水噴射ガン用養生板及びその養生板を備える高圧水噴射ガンの他の実施形態の構造を表わす図である。
【考案を実施するための形態】
【００１３】
本考案の高圧水噴射ガン用養生板及びその養生板を備える高圧水噴射ガンは、建築物の入隅部を形成する建築物の保存が必要な面の破損防止を実現するものである。
【実施例】
【００１４】
本考案の高圧水噴射ガン用養生板及びその養生板を備える高圧水噴射ガンを図に基づいて説明する。図１は、本考案の高圧水噴射ガン用養生板及びその養生板を備える高圧水噴射ガンを示す図である。図２は、本考案の高圧水噴射ガン用養生板の構造を表わす図であり、図（ａ）は図１の高圧水噴射ガン用養生板の背面図、図（ｂ）は図１の高圧水噴射ガン用養生板の左側面図である。図３は、本考案の高圧水噴射ガン用養生板及びその養生板を備える高圧水噴射ガンを用いた入隅部のアスベスト除去作業を表わす図である。図４は、図３のＡ−Ａ断面図である。
本考案の高圧水噴射ガン用養生板は、既知の高圧水噴射ガンに取り付けるものである。高圧水噴射ガン用養生板を備える本考案の高圧水噴射ガンを図１に示す。
図１の高圧水噴射ガン１０は、既知の高圧水噴射ガン１２と、高圧水噴射ガン１２に取り付ける本考案の高圧水噴射ガン用養生板１４とからなるものである。高圧水噴射ガン用養生板１４は、既知の高圧水噴射ガン１２のノズルカバー１２ａの側面に取り付けられている。
なお、既知の高圧水噴射ガン１２の構造は、公知のものである。高圧水を噴射するノズル１２ｂは、高圧水噴射ガン１２の先端部に設けられている。グリップ部（把持部）１２ｃには、トリガー部（引き金）や吸排気部が設けられており、隣接部分には高圧ホース接続口が設けられている。本考案の高圧水噴射ガン用養生板を備える高圧水噴射ガンは、図１の既知の高圧水噴射ガン１２の構造に限るものではなく、上記トリガー部、吸排気部、高圧ホース接続口及びノズルカバーを備えるものであり、また、高圧水噴射ガンの形態を限定するものではない。
【００１５】
高圧水噴射ガン用養生板１４は、既知の高圧水噴射ガン１２のノズルカバー１２ａの側面に回動自在に取り付け（図２（ａ）、図３）、先端を入隅部１６の角に当接させて、入隅部１６を形成する建築物の保存が必要な面１６ａを養生する養生板である（図４）。
図３及び図４における入隅部１６は、窓枠及び建具（ガラス窓）からなる面１６ａ（建築物の保存が必要な面）とアスベスト含有仕上塗材が施されている外壁１６ｂ（アスベスト除去が必要な面）とから形成される。
高圧水噴射ガン用養生板１４は、ノズルカバー１２ａの側面にネジ、ボルト、ビス等の固着具１４ａにより回動自在に取り付けられている（図２（ａ））。高圧水噴射ガン用養生板１４は、固着具１４ａを中心に上下両方向に回動する。建築物の入隅部の角（凹になっている角）に高圧水噴射ガン用養生板１４の先端（養生板１４の一辺）を当接させた状態で、高圧水噴射ガン１０のノズル１２ｂを上方向又は下方向に移動させると、ノズル１２ｂの移動に伴って高圧水噴射ガン用養生板１４も回動する（図３）。
また、ノズル１２ｂから高圧水１８が噴射されると、水噴射ガン用養生板１４は、高圧水１８の水圧で隣接する窓枠の面１６ａ（建築物の保存が必要な面）側に押され窓枠の面１６ａに接する（図４）。高圧水１８の噴射時において、水噴射ガン用養生板１４が窓枠の面１６ａに接するとき、高圧水噴射ガン用養生板１４は、窓枠１６ａやガラス窓などの建具（建築物の保存が必要な面）を養生する。これにより、改修工事における高圧水１８によるアスベスト除去において、アスベスト除去と建築物の保存が必要な面の養生を同時に行うことができる。
また、水噴射ガン用養生板１４の先端は、建築物の入隅部の角に当接させた状態にあることから、水噴射ガン用養生板１４は、除去が必要な面を案内するガイド部材としての役割を果たすものである。
【００１６】
高圧水噴射ガン用養生板１４は、ノズル１２ｂの位置Ｐ１、Ｐ２、Ｐ３に応じた、高圧水１８がアスベスト除去面１６ｂ（外壁１６ｂのアスベスト含有仕上塗材が施されている面）まで至る距離Ｌ１、Ｌ２、Ｌ３に相当する長さＬと、アスベスト除去面１６ｂにおける高圧水１８の噴射幅Ｗ１、Ｗ２、Ｗ３に相当する幅Ｗとを有するものである（図１、図３）。図１乃至図４の高圧水噴射ガン用養生板１４は、全体の形状が矩形のものである。
高圧水噴射ガン用養生板１４は、入隅部１６を形成する建築物の保存が必要な面１６ａを養生するものである。したがって、高圧水噴射ガン用養生板１４は、建築物の保存が必要な面１６ａを養生できる十分な大きさ（長さＬ，幅Ｗ）を有することが必要となる。
ノズル１２ｂの位置Ｐ１、Ｐ２、Ｐ３により、高圧水１８がアスベスト除去面１６ｂまで至る距離Ｌ１、Ｌ２、Ｌ３や、アスベスト除去面１６ｂにおける高圧水１８の噴射幅Ｗ１、Ｗ２、Ｗ３が異なることから（図３）、高圧水噴射ガン用養生板１４の大きさは、ノズル１２ｂがいずれの位置Ｐ１、Ｐ２、Ｐ３にある場合においても、高圧水１８がアスベスト除去面１６ｂに至る距離Ｌ１、Ｌ２、Ｌ３に相当する十分な長さＬを有し、アスベスト除去面１６ｂにおける高圧水の噴射幅Ｗ１、Ｗ２、Ｗ３に相当する十分な幅Ｗを有するように設定されている（図１、図３）。
なお、図１乃至図４の高圧水噴射ガン用養生板１４は、全体の形状が矩形のものであるが、この形態に限るものではない。ノズルカバー１２ａの側面に取付可能であり、入隅部１６の建築物の保存が必要な面１６ａを養生できる形態であればよい。また、高圧水１８の水圧や飛散物の衝撃に耐え得るものであれば足りる。
【００１７】
以上のように、本考案の高圧水噴射ガン用養生板１４及びその養生板１４を備える高圧水噴射ガン１０は、高圧水１８による外壁１６ｂのアスベスト含有仕上塗材を除去する工法いわゆるウォータージェット工法において、養生板１４により入隅部１６を形成する建築物の保存が必要な面１６ａを高圧水１８や除去物の飛散から保護し、破損を防ぐことができる。
また、改修工事では建築物を保存する必要があり、ウォータージェット工法を行う場合には、入隅１６を形成する窓枠（主にアルミサッシ）や建具（例えば、窓ガラス）などの建築物の保存が必要な面１６ａを事前に養生する困難な作業を行う必要があった。本考案の高圧水噴射ガン用養生板１４及びその養生板を備える高圧水噴射ガン１０によると、困難な養生作業を事前に行う必要がなく、アスベスト除去の作業効率を向上させることができる。
【００１８】
本考案の高圧水噴射ガン用養生板及びその養生板を備える高圧水噴射ガンの他の実施形態について、図に基づいて説明する。図１及び図５は、本考案の高圧水噴射ガン用養生板及びその養生板を備える高圧水噴射ガンの他の実施形態を表わす図である。図５は、本考案の高圧水噴射ガン用養生板及びその養生板を備える高圧水噴射ガンの他の実施形態の構造を表わす図であり、図１の高圧水噴射ガン用養生板の左側面図である。なお、説明において、前述の本考案の高圧水噴射ガン用養生板及びその養生板を備える高圧水噴射ガンの構成物と同じ参照番号が付与されているものは、同一の構成物であるため、説明を省略する。
本考案の高圧水噴射ガン用養生板２０は、建築物の保存が必要な面１６ａとアスベスト除去が必要な面１６ｂから形成される入隅部１６のアスベストを高圧水噴射ガン１２を用いて除去する場合に使用するものであって、高圧水噴射ガン１２のノズルカバー１２ａの側面に回動自在に取り付け、先端を入隅部１６の角に当接させて、入隅部１６を形成する建築物の保存が必要な面１６ａを養生する養生板１４と、高圧水噴射ガン１２のノズルカバー１２ａと嵌合させる筒状の養生板取付補助部材２０ａとを備え、養生板取付補助部材２０ａの側面に養生板１４を回動自在に取り付けるものである。
養生板取付補助部材２０ａは、前述の既知の高圧水噴射ガン１２のノズルカバー１２ａを覆い保護する保護カバーである。本考案の高圧水噴射ガン用養生板２０は、養生板１４と養生板取付補助部材２０ａとからなるものである。養生板取付補助部材２０ａにノズルカバー１２ａを嵌入させることにより、養生板取付補助部材２０ａを介してノズルカバー１２ａに養生板１４を容易に取り付けることができる。
【００１９】
高圧水噴射ガン用養生板２０の養生板１４は、ノズル１２ｂの位置Ｐ１、Ｐ２、Ｐ３に応じた、高圧水１８がアスベスト除去面１６ｂまで至る距離Ｌ１、Ｌ２、Ｌ３に相当する長さＬとアスベスト除去面１６ｂにおける高圧水１８の噴射幅Ｗ１、Ｗ２、Ｗ３に相当する幅Ｗとを有するものである。また、本考案の高圧水噴射ガン２２は、既知の高圧水噴射ガン１２に高圧水噴射ガン用養生板２０（養生板１４と養生板取付補助部材２０ａとからなるもの）を備えるものである（図１）。
【００２０】
上記実施例は、高圧水による除去の対象として、アスベスト含有仕上塗材（アスベスト）を例としたものであるが、本考案における除去対象は、アスベストに限定されるものではなく、アスベストを含有しない仕上塗材その他高圧水による除去が必要なものであって、除去されたものが飛散し建築物の保存が必要な面を破損するおそれがあるものを対象とする。
【符号の説明】
【００２１】
１０、２２  高圧水噴射ガン用養生板を備える高圧水噴射ガン
１２  既知の高圧水噴射ガン
１２ａ  ノズルカバー  
１４、２０  高圧水噴射ガン用養生板
１６  入隅部
１６ａ  建築物の保存が必要な面
１６ｂ  アスベスト除去面
１８  高圧水
２０ａ  養生板取付補助部材
Ｐ１、Ｐ２、Ｐ３  ノズルの位置
Ｌ  養生板の長さ
Ｌ１、Ｌ２、Ｌ３  高圧水がアスベスト除去面まで至る距離
Ｗ  養生板の幅
Ｗ１、Ｗ２、Ｗ３  アスベスト除去面における高圧水の噴射幅
【図１】
0003219425.tif 000003
【図２】
0003219425.tif 000004
【図３】
0003219425.tif 000005
【図４】
0003219425.tif 000006
【図５】
0003219425.tif 000007
【手続補正書】
【提出日】平成30年10月28日(2018.10.28)
【手続補正１】
【補正対象書類名】実用新案登録請求の範囲
【補正対象項目名】全文
【補正方法】変更
【補正の内容】
【実用新案登録請求の範囲】
【請求項１】
建築物の保存が必要な面と高圧水による除去が必要な面から形成される入隅部を高圧水噴射ガンを用いて除去する場合に使用するものであって、高圧水噴射ガンのノズルカバーの側面に回動自在に取り付け、先端を入隅部の角に当接させて、入隅部を形成する建築物の保存が必要な面を養生する養生板であることを特徴とする高圧水噴射ガン用養生板。
【請求項２】
養生板は、ノズルの位置に応じた、高圧水が除去面まで至る距離に相当する長さと除去面における高圧水の噴射幅に相当する幅とを有するものであることを特徴とする請求項１記載の高圧水噴射ガン用養生板。
【請求項３】
請求項１又は請求項２記載の高圧水噴射ガン用養生板を備えることを特徴とする高圧水噴射ガン。
【請求項４】
建築物の保存が必要な面と高圧水による除去が必要な面から形成される入隅部を高圧水噴射ガンを用いて除去する場合に使用するものであって、高圧水噴射ガンのノズルカバーを嵌入させる筒状の養生板取付補助部材と、養生板取付補助部材の側面に回動自在に取り付け、先端を入隅部の角に当接させて、入隅部を形成する建築物の保存が必要な面を養生する養生板とからなることを特徴とする高圧水噴射ガン用養生板。
【請求項５】
養生板は、ノズルの位置に応じた、高圧水が除去面まで至る距離に相当する長さと除去面における高圧水の噴射幅に相当する幅とを有するものであることを特徴とする請求項４記載の高圧水噴射ガン用養生板。
【請求項６】
請求項４又は請求項５記載の高圧水噴射ガン用養生板を備えることを特徴とする高圧水噴射ガン。
【手続補正２】
【補正対象書類名】明細書
【補正対象項目名】０００９
【補正方法】変更
【補正の内容】
【０００９】
本考案の高圧水噴射ガン用養生板は、建築物の保存が必要な面と高圧水による除去が必要な面から形成される入隅部を高圧水噴射ガンを用いて除去する場合に使用するものであって、高圧水噴射ガンのノズルカバーの側面に回動自在に取り付け、先端を入隅部の角に当接させて、入隅部を形成する建築物の保存が必要な面を養生する養生板である。また、養生板は、ノズルの位置に応じた、高圧水が除去面まで至る距離に相当する長さと除去面における高圧水の噴射幅に相当する幅とを有するものである。また、本考案の高圧水噴射ガンは、上記高圧水噴射ガン用養生板を備えるようにしたものである。
【手続補正３】
【補正対象書類名】明細書
【補正対象項目名】００１０
【補正方法】変更
【補正の内容】
【００１０】
また、本考案の高圧水噴射ガン用養生板は、建築物の保存が必要な面と高圧水による除去が必要な面から形成される入隅部を高圧水噴射ガンを用いて除去する場合に使用するものであって、高圧水噴射ガンのノズルカバーを嵌入させる筒状の養生板取付補助部材と、養生板取付補助部材の側面に回動自在に取り付け、先端を入隅部の角に当接させて、入隅部を形成する建築物の保存が必要な面を養生する養生板とからなるようにしたものである。また、養生板は、ノズルの位置に応じた、高圧水が除去面まで至る距離に相当する長さと除去面における高圧水の噴射幅に相当する幅とを有するものである。また、本考案の高圧水噴射ガンは、上記高圧水噴射ガン用養生板を備えるようにしたものである。
【手続補正４】
【補正対象書類名】明細書
【補正対象項目名】００１８
【補正方法】変更
【補正の内容】
【００１８】
本考案の高圧水噴射ガン用養生板及びその養生板を備える高圧水噴射ガンの他の実施形態について、図に基づいて説明する。図１及び図５は、本考案の高圧水噴射ガン用養生板及びその養生板を備える高圧水噴射ガンの他の実施形態を表わす図である。図５は、本考案の高圧水噴射ガン用養生板及びその養生板を備える高圧水噴射ガンの他の実施形態の構造を表わす図であり、図１の高圧水噴射ガン用養生板の左側面図である。なお、説明において、前述の本考案の高圧水噴射ガン用養生板及びその養生板を備える高圧水噴射ガンの構成物と同じ参照番号が付与されているものは、同一の構成物であるため、説明を省略する。
本考案の高圧水噴射ガン用養生板２０は、建築物の保存が必要な面１６ａとアスベスト除去が必要な面１６ｂから形成される入隅部１６のアスベストを高圧水噴射ガン１２を用いて除去する場合に使用するものであって、高圧水噴射ガン１２のノズルカバー１２ａを嵌入させる筒状の養生板取付補助部材２０ａと、養生板取付補助部材２０ａの側面に回動自在に取り付け、先端を入隅部１６の角に当接させて、入隅部１６を形成する建築物の保存が必要な面１６ａを養生する養生板１４とからなるものである。
養生板取付補助部材２０ａは、前述の既知の高圧水噴射ガン１２のノズルカバー１２ａを覆い保護する保護カバーである。本考案の高圧水噴射ガン用養生板２０は、養生板１４と養生板取付補助部材２０ａとからなるものである。養生板取付補助部材２０ａにノズルカバー１２ａを嵌入させることにより、養生板取付補助部材２０ａを介してノズルカバー１２ａに養生板１４を容易に取り付けることができる。